(57)【要約】  地上デジタル放送を受信するに際して、希望チャンネルの放送波のＣＮＲ値がアンテナ対応処理部１２０j（ｊ＝１，〜，４）のＣＮＲ検出部において検出され、Ｂ階層パケットエラーＢＰＥが再生処理ユニット１４０のパケット分離部において検出される。これらの検出結果に基づく放送波の受信品質と、蓄電池９００におけるバッテリ残量に基づいて、制御ユニット１９０における電力供給制御部が、バッテリ残量が多いほど、コンテンツ再生品質の重視度である品質重視度を高くするとともに、電力供給源である蓄電池９００からの電力供給量の抑制の重視度である電力重視度を低くした電力供給制御を、アンテナ対応処理部１２０j（ｊ＝１，〜，４）及び再生処理ユニット１４０のソースデコード部に対して行う。この結果、コンテンツ再生品質や電力供給源からの電力供給量の抑制を適切に考慮したコンテンツ再生を実現することができる。
2012131938.tif 000002
【特許請求の範囲】
【請求項１】
電力供給源からの電力供給を受けて動作するとともに、放送波を、複数である第１所定数のアンテナで受信してコンテンツ再生を行う放送受信装置であって、
前記第１所定数のアンテナ対応処理部のそれぞれが、前記第１所定数のアンテナごとに配置されるとともに、
前記第１所定数のアンテナ対応処理部の少なくとも１つから出力された信号に基づいて、チャンネルデコード信号を生成するチャンネルデコード部と；
前記チャンネルデコード信号に基づいて、コンテンツ再生品質が互いに異なり、生成のために前記コンテンツ再生品質が高いほど消費電力が増大する複数のコンテンツ復号信号のいずれかを生成するソースデコード部と；
前記放送波の受信品質を検出する検出部と；
コンテンツ再生品質の重視度である品質重視度、及び、前記電力供給源からの電力供給量の抑制の重視度である電力重視度を決定する決定部と；
前記検出された放送波の受信品質、並びに、前記品質重視度及び前記電力重視度に基づいて、前記第１所定数のアンテナ対応処理部に対する電力供給制御、及び、前記ソースデコード部に対する、生成すべきコンテンツ復号信号の種類の選択制御を行う電力供給制御部と；を備え、
前記アンテナ対応処理部のそれぞれは、
前記アンテナから送られた信号を増幅する高周波増幅部と；
前記高周波増幅部から送られた信号に対して選局指定された希望局に対応する希望波信号を、所定周波数帯の信号に変換するフロントエンド部と；
前記フロントエンド部から送られた信号について周波数解析処理を施す周波数解析部と；を有し、
前記電力供給制御部は、前記第１所定数の高周波増幅部、前記第１所定数のフロントエンド部、及び、前記第１所定数の周波数解析部の少なくとも１つへの電力供給制御を行う、
ことを特徴とする放送受信装置。
【請求項２】
前記決定部により、前記品質重視度が高く決定され、かつ、前記電力重視度が低く決定されたときは、
前記電力供給制御部は、
前記放送波の受信品質に応じて、前記第１所定数の前記アンテナ対応処理部の全てを利用した場合に実現可能な最も高いコンテンツ再生品質に対応するコンテンツ復号信号の選択制御を、前記ソースデコード部に対して行うとともに、
前記放送波の受信品質に応じて、前記ソースデコ−ド部による生成が指定されたコンテンツ復号信号の生成のために必要な最小数の前記アンテナ対応処理部に対して電力供給を行う電力供給制御を行う、
ことを特徴とする請求項１に記載の放送受信装置。
【請求項３】
前記決定部により、前記品質重視度が低く決定され、かつ、前記電力重視度が高く決定されたときは、
前記電力供給制御部は、
前記放送波の受信品質に応じて、前記第１所定数よりも少ない第２所定数の前記アンテナ対応処理部を利用した場合に実現可能な最も高いコンテンツ再生品質に対応するコンテンツ復号信号の選択制御を、前記ソースデコード部に対して行うとともに、
前記放送波の受信品質に応じて、前記ソースデコ−ド部による生成が指定されたコンテンツ復号信号の生成のために必要な最小数の前記アンテナ対応処理部に対して電力供給を行う電力供給制御を行う、
ことを特徴とする請求項１又は２に記載の放送受信装置。
【請求項４】
前記電力供給源はバッテリであり、
前記バッテリのバッテリ残量を取得する取得部を更に備え、
前記決定部は、前記取得されたバッテリ残量が多いほど、前記品質重視度を高く決定し、前記電力重視度を低く決定する、
ことを特徴とする請求項１〜３に記載の放送受信装置。
【請求項５】
前記バッテリを駆動エネルギ源とする走行駆動機構を少なくとも有する車両に搭載され、
前記走行駆動機構の動作により走行及び停止が行われる場合には、前記電力供給制御部は、前記車両の走行中及び停止中にわたって、前記電力供給制御及び前記選択制御を実行する、
ことを特徴とする請求項４に記載の放送受信装置。
【請求項６】
前記バッテリ以外のエネルギ源を駆動エネルギ源とする走行駆動機構を有し、前記走行駆動機構の動作により前記バッテリへの充電が行われる車両に搭載され、
前記走行駆動機構が動作していない場合に、前記電力供給制御部は、前記電力供給制御及び前記選択制御を実行する、
ことを特徴とする請求項４に記載の放送受信装置。
【請求項７】
複数である第１所定数のアンテナ対応処理部のそれぞれが、前記第１所定数のアンテナごとに配置されるとともに、前記第１所定数のアンテナ対応処理部の少なくとも１つから出力された信号に基づいて、チャンネルデコード信号を生成するチャンネルデコード部と；前記チャンネルデコード信号に基づいて、コンテンツ再生品質が互いに異なり、生成のために前記コンテンツ再生品質が高いほど消費電力が増大する複数のコンテンツ復号信号のいずれかを生成するソースデコード部と；を備え、前記アンテナ対応処理部のそれぞれは、前記アンテナから送られた信号を増幅する高周波増幅部と；前記高周波増幅部から送られた信号に対して選局指定された希望局に対応する希望波信号を、所定周波数帯の信号に変換するフロントエンド部と；前記フロントエンド部から送られた信号について周波数解析処理を施す周波数解析部と；を有し、電力供給源からの電力供給を受けて動作するとともに、放送波を、前記第１所定数のアンテナで受信してコンテンツ再生を行う放送受信装置において使用される電力供給制御方法であって、
前記放送波の受信品質を検出する検出工程と；
コンテンツ再生品質の重視度である品質重視度、及び、前記電力供給源からの電力供給量の抑制の重視度である電力重視度を決定する決定工程と；
前記検出された放送波の受信品質、並びに、前記品質重視度及び前記電力重視度に基づいて、前記第１所定数のアンテナ対応処理部に対する電力供給制御、及び、前記ソースデコード部に対する、生成すべきコンテンツ復号信号の種類の選択制御を行う電力供給制御工程と；を備え、
前記電力供給制御工程では、前記第１所定数の高周波増幅部、前記第１所定数のフロントエンド部、及び、前記第１所定数の周波数解析部の少なくとも１つへの電力供給制御を行う、
ことを特徴とする電力供給制御方法。
【請求項８】
請求項７に記載の電力供給制御方法を演算部に実行させる、ことを特徴とする電力供給制御プログラム。
【請求項９】
請求項８に記載の電力供給制御プログラムが、演算部により読み取り可能に記録されている、ことを特徴とする記録媒体。
【発明の詳細な説明】
【技術分野】
【０００１】
本発明は、放送受信装置、電力供給制御方法、電力供給制御プログラム、及び、当該電力供給制御プログラムが記録された記録媒体に関する。
【背景技術】
【０００２】
従来から、車両等の移動体の多くに、地上デジタル放送を受信してコンテンツ再生する放送受信装置が搭載されている。こうした移動体に搭載される放送受信装置は、当該移動体が装備している電力供給源からの電力供給を受けて動作する。【０００３】
ところで、現行の地上デジタル放送では、１チャンネル内を１３個のセグメントに分割し、中心の１個のセグメントに１つの放送信号を変調し、残りの１２個のセグメントに他の１つの放送信号を変調するようになっており、同一の番組を同時に放送する同時放送（サイマル放送）が行われるようになっている。【０００４】
ここで、１セグメントを使用した放送（以下、「ワンセグ放送」とも呼ぶ）であるＡ階層放送は、１２セグメントを使用した放送（以下、「１２セグ放送」とも呼ぶ）であるＢ階層放送よりも再生画質や再生音質は劣ることになるが、エラー耐性は高く、電力消費量が少ない。そこで、車両等の移動体に搭載される地上デジタル放送の放送受信装置として、電力供給源の残量等に応じて、Ａ階層放送を選択して消費電力を抑制する技術が提案されている（特許文献１参照：以下「従来例」という）。
【先行技術文献】
【特許文献】
【０００５】
【特許文献１】特開２００５−２５２５１２号公報
【発明の概要】
【発明が解決しようとする課題】
【０００６】
上述した従来例の技術では、電力供給源である電池の残量が所定値を下回ったとき、利用者により低消費モードが選択されたとき、又は、車載型として構成されエンジンオフを検出したときに、Ｂ階層放送の映像音声生成を行う受信部への通電を停止させる。そして、Ａ階層放送の映像音声生成を行う受信部から出力される映像音声を選択するようになっている。【０００７】
ところで、車両に搭載される地上デジタル放送の放送受信装置では、複数個（２又は４個）のアンテナを備えるとともに、当該複数のアンテナのそれぞれに対応したアンテナ対応処理部分と、複数のアンテナに共通した処理を行うアンテナ共通部分とを放送コンテンツの再生のために備えることが一般的である。ここで、アンテナ対応処理部分は、Ａ階層放送コンテンツ及びＢ階層放送コンテンツの双方に共通して、コンテンツ再生に貢献する。【０００８】
しかしながら、従来例の技術では、複数アンテナ構成の放送受信装置に着目しておらず、上述した複数アンテナを備える放送受信装置に特有の構成に対する消費電力の低減については、何等の提案もなされていない。さらに、放送受信装置の利用者にとっては、再生コンテンツの視聴の確保が最重要であるが、利用者によって、再生コンテンツの再生品質の重視度が異なり、この点への対応についても、従来例の技術では何等の提案もなされていない。【０００９】
このため、電力供給源の残量に応じて、Ｂ階層放送によるコンテンツの継続視聴を適切に確保しつつ、電力供給源からの電力供給量の抑制することができる技術が待望されている。かかる要請に応えることが、本発明が解決すべき課題の一つとして挙げられる。【００１０】
本発明は、上記の事情を鑑みてなされたものであり、コンテンツ再生品質や電力供給源からの電力供給量の抑制を適切に考慮したコンテンツ再生を実現する新たな放送受信装置及び電力供給制御方法を提供することを目的とする。
【課題を解決するための手段】
【００１１】
本発明は、第１の観点からすると、電力供給源からの電力供給を受けて動作するとともに、放送波を、複数である第１所定数のアンテナで受信してコンテンツ再生を行う放送受信装置であって、前記第１所定数のアンテナ対応処理部のそれぞれが、前記第１所定数のアンテナごとに配置されるとともに、前記第１所定数のアンテナ対応処理部の少なくとも１つから出力された信号に基づいて、チャンネルデコード信号を生成するチャンネルデコード部と；前記チャンネルデコード信号に基づいて、コンテンツ再生品質が互いに異なり、生成のために前記コンテンツ再生品質が高いほど消費電力が増大する複数のコンテンツ復号信号のいずれかを生成するソースデコード部と；前記放送波の受信品質を検出する検出部と；コンテンツ再生品質の重視度である品質重視度、及び、前記電力供給源からの電力供給量の抑制の重視度である電力重視度を決定する決定部と；前記検出された放送波の受信品質、並びに、前記品質重視度及び前記電力重視度に基づいて、前記第１所定数のアンテナ対応処理部に対する電力供給制御、及び、前記ソースデコード部に対する、生成すべきコンテンツ復号信号の種類の選択制御を行う電力供給制御部と；を備え、前記アンテナ対応処理部のそれぞれは、前記アンテナから送られた信号を増幅する高周波増幅部と；前記高周波増幅部から送られた信号に対して選局指定された希望局に対応する希望波信号を、所定周波数帯の信号に変換するフロントエンド部と；前記フロントエンド部から送られた信号について周波数解析処理を施す周波数解析部と；を有し、前記電力供給制御部は、前記第１所定数の高周波増幅部、前記第１所定数のフロントエンド部、及び、前記第１所定数の周波数解析部の少なくとも１つへの電力供給制御を行う、ことを特徴とする放送受信装置である。【００１２】
本発明は、第２の観点からすると、複数である第１所定数のアンテナ対応処理部のそれぞれが、前記第１所定数のアンテナごとに配置されるとともに、前記第１所定数のアンテナ対応処理部の少なくとも１つから出力された信号に基づいて、チャンネルデコード信号を生成するチャンネルデコード部と；前記チャンネルデコード信号に基づいて、コンテンツ再生品質が互いに異なり、生成のために前記コンテンツ再生品質が高いほど消費電力が増大する複数のコンテンツ復号信号のいずれかを生成するソースデコード部と；を備え、前記アンテナ対応処理部のそれぞれは、前記アンテナから送られた信号を増幅する高周波増幅部と；前記高周波増幅部から送られた信号に対して選局指定された希望局に対応する希望波信号を、所定周波数帯の信号に変換するフロントエンド部と；前記フロントエンド部から送られた信号について周波数解析処理を施す周波数解析部と；を有し、電力供給源からの電力供給を受けて動作するとともに、放送波を、前記第１所定数のアンテナで受信してコンテンツ再生を行う放送受信装置において使用される電力供給制御方法であって、前記放送波の受信品質を検出する検出工程と；コンテンツ再生品質の重視度である品質重視度、及び、前記電力供給源からの電力供給量の抑制の重視度である電力重視度を決定する決定工程と；前記検出された放送波の受信品質、並びに、前記品質重視度及び前記電力重視度に基づいて、前記第１所定数のアンテナ対応処理部に対する電力供給制御、及び、前記ソースデコード部に対する、生成すべきコンテンツ復号信号の種類の選択制御を行う電力供給制御工程と；を備え、前記電力供給制御工程では、前記第１所定数の高周波増幅部、前記第１所定数のフロントエンド部、及び、前記第１所定数の周波数解析部の少なくとも１つへの電力供給制御を行う、ことを特徴とする電力供給制御方法である。【００１３】
本発明は、第３の観点からすると、本発明の電力供給制御方法を演算部に実行させる、ことを特徴とする電力供給制御プログラムである。【００１４】
本発明は、第４の観点からすると、本発明の電力供給制御プログラムが、演算部により読み取り可能に記録されている、ことを特徴とする記録媒体である。
【図面の簡単な説明】
【００１５】
【図１】本発明の一実施形態に係る放送受信装置の構成を概略的に示すブロック図である。
【図２】図１の本体部の構成を示すブロック図である。
【図３】図２のアンテナ対応処理部の構成を示すブロック図である。
【図４】図２の再生処理ユニットの構成を示すブロック図である。
【図５】図４のチャンネルデコード部の構成を示すブロック図である。
【図６】図４のソースデコード部の構成を示すブロック図である。
【図７】図２の制御ユニットの構成を示すブロック図である。
【図８】電力供給制御処理及び選択制御処理の設定を説明するための図である。
【図９】図１の装置による電力供給制御処理及び選択制御処理を説明するためのフローチャートである。
【図１０】図９の「ワンセグモード」処理を説明するためのフローチャートである。
【図１１】図９の「省エネルギモード」処理を説明するためのフローチャートである。
【図１２】図９の「画質重視モード」処理を説明するためのフローチャートである。
【発明を実施するための形態】
【００１６】
以下、本発明の一実施形態を、図１〜図１２を参照して説明する。なお、以下の説明及び図面においては、同一又は同等の要素には同一の符号を付し、重複する説明を省略する。
【００１７】
［構成］
図１には、一実施形態に係る放送受信装置５００の概略的な構成がブロック図にて示されている。この放送受信装置５００は、蓄電池（バッテリ）９００を動力エネルギ源として走行する電気自動車（以下、単に「車両」とも記す）ＣＲに搭載され、当該車両ＣＲが装備している電力供給源としての蓄電池９００からの電力供給を受けて動作するようになっている。そして、この放送受信装置５００は、地上デジタル放送におけるＡ階層放送（ワンセグ放送）とＢ階層放送（１２セグ放送）とを受信して、コンテンツ再生を行う。
【００１８】
図１に示されるように、放送受信装置５００は、電源ブロック３００と、本体部１００とを備えている。
【００１９】
上記の電源ブロック３００は、入力端子が蓄電池９００と接続されている。この電源ブロック３００は、入力端子で、蓄電池９００からの電力ＳＥＰの供給を受ける。そして、電源ブロック３００は、本体部１００に対して、所定電圧値の動作用電力ＡＰＷを供給する。
【００２０】
上記の本体部１００は、図２に示されるように、４個のアンテナ１１０1，１１０2，１１０3，１１０4と、４個のアンテナ対応処理部１２０1，１２０2，１２０3，１２０4とを備えている。また、本体部１００は、再生処理ユニット１４０と、操作入力ユニット１５０と、音出力ユニット１６０と、表示ユニット１７０とを備えている。さらに、本体部１００は、制御ユニット１９０を備えている。
【００２１】
上記のアンテナ１１０1，１１０2，１１０3，１１０4は、地上デジタル放送波を受信する。そして、アンテナ１１０j（ｊ＝１，…，４）による受信結果は、信号ＲＦＳjとして、それぞれアンテナ対応処理部１２０jへ送られる。
【００２２】
上記のアンテナ対応処理部１２０j（ｊ＝１，…，４）のそれぞれは、４個のアンテナ１１０jごとに配置され、アンテナ１１０jから送られた信号ＲＦＳjを受ける。そして、アンテナ対応処理部１２０jは、制御ユニット１９０による制御のもとで、再生処理ユニット１４０へ送る信号ＦＦＤjを生成する。アンテナ対応処理部１２０jの詳細な構成については、後述する。
【００２３】
上記の再生処理ユニット１４０は、制御ユニット１９０による制御のもとで、アンテナ対応処理部１２０j（ｊ＝１，…，４）から送られる信号ＦＦＤjを処理して、音出力ユニット１６０へ供給するための音声データＡＤＴ及び表示ユニット１７０へ供給するための映像データＩＤＴを生成する。再生処理ユニット１４０の詳細な構成については、後述する。
【００２４】
上記の操作入力ユニット１５０は、本体部１００に設けられたキー部、及び／又はキー部を備えるリモート入力装置等により構成される。ここで、本体部１００に設けられたキー部としては、表示ユニット１７０に設けられたタッチパネルを用いることができる。また、キー部を有する構成に代えて、又は併用して音声認識技術を利用して音声にて入力する構成を採用することもできる。
【００２５】
この操作入力ユニット１５０を利用者が操作することにより、放送受信装置５００の動作内容の設定が行われる。例えば、後述する「電力供給制御モード」の指定、放送事業者を指定した選局指定等は、利用者が操作入力ユニット１５０を操作することによって行われる。こうして操作入力された内容は、操作入力データＩＰＤとして、操作入力ユニット１５０から制御ユニット１９０へ向けて送られる。
【００２６】
上記の音出力ユニット１６０は、（ｉ）再生処理ユニット１４０から受信した音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１６０は、選局されているチャンネルの放送波に対応する放送音声を再生出力する。
【００２７】
上記の表示ユニット１７０は、例えば、（ｉ）液晶パネル、有機ＥＬ（Electro Luminescence）パネル、ＰＤＰ（Plasma Display Panel）等の表示デバイスと、（ii）再生処理ユニット１４０から送られた映像データＩＤＴに基づいて、当該表示デバイスに画像を表示させる表示制御回路とを備えている。この表示ユニット１７０は、選局されているチャンネルに対応する放送画像を再生表示する。
【００２８】
上記の制御ユニット１９０は、様々な処理を行うとともに、放送受信装置５００の全体の動作を制御する。制御ユニット１９０の詳細な構成については、後述する。
【００２９】
次に、上述したアンテナ対応処理部１２０j（ｊ＝１，…，４）の構成について説明する。アンテナ対応処理部１２０jは、図３に示されるように、高周波増幅部１２１jと、ＲＦ処理部１２２jと、周波数解析部１２３jとを備えている。また、アンテナ対応処理部１２０jは、検出部の一部としてのＣＮＲ検出部１２４jと、スイッチ部１２９jとを備えている。
【００３０】
上記の高周波増幅部１２１j（ｊ＝１，…，４）のそれぞれは、４個のアンテナ１１０jのそれぞれに対応して配置され、対応するアンテナ１１０jから送られる信号ＲＦＳjを増幅する。この増幅結果は、信号ＡＲＳjとして、ＲＦ処理部１２２jへ送られる。
【００３１】
上記のＲＦ処理部１２２j（ｊ＝１，…，４）のそれぞれは、４個の高周波増幅部１２１jのそれぞれに対応して配置され、制御ユニット１９０から送られた選局指令ＣＳＬに従って、選択すべき物理チャンネルの信号を信号ＡＲＳj から抽出する選局処理を行う。この選局処理の結果は、信号ＩＦＳj として周波数解析部１２３jへ送られる。
【００３２】
ＲＦ処理部１２２j（ｊ＝１，…，４）は、入力フィルタ、高周波増幅器、バンドパスフィルタ（以下、「ＲＦフィルタ」と呼ぶ）、ミキサ（混合器）、中間周波フィルタ（以下、「ＩＦフィルタ」と呼ぶ）、中間周波増幅器、局部発振回路等（いずれも不図示）を備えて構成されている。
【００３３】
このＲＦ処理部１２２jでは、対応する高周波増幅部１２１jからの信号ＡＲＳjが、入力フィルタを通過することにより、帯域外成分が除去された後、ミキサにおいて、制御ユニット１９０からの選局指令ＣＳＬに従って局部発振回路により生成された希望局に対応する周波数を有する局部発振信号と混合される。そして、ミキサによる混合結果からＩＦフィルタにより予め定められた中間周波数帯の信号が選択される。中間周波増幅器は、ＩＦフィルタを通過した信号を増幅する。この中間周波増幅器による増幅結果は、信号ＩＦＳjとして、周波数解析部１２３jへ向けて出力される。
【００３４】
上記の周波数解析部１２３j（ｊ＝１，…，４）のそれぞれは、４個のＲＦ処理部１２２jのそれぞれに対応して配置され、対応するＲＦ処理部１２２jから送られた信号ＩＦＳjについて周波数解析処理を施す。この処理結果は、ＯＦＤＭ（Orthogonal Frequency Division Multiplex）周波数領域の信号ＦＦＤjとして、再生処理ユニット１４０へ送られる。
【００３５】
周波数解析部１２３jは、アナログデジタル変換器、ＦＦＴ（Fast Fourier Transform）演算部、周波数位相補正部等（いずれも不図示）を備えて構成されている。
【００３６】
アナログデジタル変換器は、アナログ信号である信号ＩＦＳjを受ける。そして、アナログ変換器は、信号ＩＦＳjをデジタル信号に変換し、ＦＦＴ演算部へ送る。ＦＦＴ演算部は、ＯＦＤＭ時間領域のデジタル信号に対して高速フーリエ変換を行い、各キャリアに直交変調されている情報を抽出する。周波数位相補正部は、ＦＦＴ演算部から送られた周波数領域の信号について、位相補正を行う。この周波数位相補正部による補正結果は、信号ＦＦＤjとして、再生処理ユニット１４０へ送られる。
【００３７】
上記のＣＮＲ検出部１２４j（ｊ＝１，…，４）のそれぞれは、対応するＲＦ処理部１２２jから送られる信号ＩＦＳj を受ける。そして、ＣＮＲ検出部１２４jは、信号ＩＦＳjにおけるＣＮＲ（Carrier to Noise Ratio）を検出する。この検出結果は、検出値ＣＮＲjとして、制御ユニット１９０へ送られる。
【００３８】
上記のスイッチ部１２９j（ｊ＝１，…，４）のそれぞれは、Ａ端子とＢ端子とを有しており、Ａ端子は電源ブロック３００に接続され、Ｂ端子は高周波増幅部１２１j、ＲＦ処理部１２２j及び周波数解析部１２３jと接続されている。この両端子は、制御ユニット１９０から送られる電力供給制御指令ＰＷＣに従って、導通又は非導通となる。そして、両端子が導通した状態では、高周波増幅部１２１j、ＲＦ処理部１２２j及び周波数解析部１２３jは、電源ブロック３００から動作用電力ＡＰＷの供給を受ける。また、両端子が導通していない状態では、高周波増幅部１２１j、ＲＦ処理部１２２j及び周波数解析部１２３jは、電源ブロック３００から動作用電力ＡＰＷの供給を受けないようになっている。
【００３９】
次に、上述した再生処理ユニット１４０の構成について説明する。再生処理ユニット１４０は、図４に示されるように、チャンネルデコード部１４１と、ソースデコード部１４２とを備えている。
【００４０】
上記のチャンネルデコード部１４１は、アンテナ対応処理部１２０j（ｊ＝１，…，４）のそれぞれから送られた信号ＦＦＤj に基づいて、デコード処理を行い、データパケットＰＫＤ（チャンネルデコード信号）を生成する。チャンネルデコード部１４１の詳細な構成については、後述する。
【００４１】
上記のソースデコード部１４２は、チャンネルデコード部１４１から送られたデータパケットＰＫＤに基づいて、Ａ階層及びＢ階層に関するデータの分離処理等を行い、Ａ階層データＡＡＶ及びＢ階層データＢＡＶを生成する。ソースデコード部１４２の詳細な構成については、後述する。
【００４２】
次に、上述したチャンネルデコード部１４１の構成について説明する。チャンネルデコード部１４１は、図５に示されるように、キャリア合成部２２１と、周波数時間デインターリーブ部２２２と、デマッピング部２２３と、誤り訂正処理部２２４とを備えている。
【００４３】
上記のキャリア合成部２２１は、アンテナ対応処理部１２０j（ｊ＝１，…，４）から送られる信号ＦＦＤjのキャリア合成を行う。そして、キャリア合成された信号は、周波数時間デインターリーブ部２２２へ送られる。
【００４４】
上記の周波数時間デインターリーブ部２２２は、キャリア合成部２２１から送られた信号を受ける。そして、周波数時間デインターリーブ部２２２は、キャリア合成部２２１から送られた信号に対して、周波数及び時間のデインターリーブを施し、デマッピング部２２３へ送る。
【００４５】
上記のデマッピング部２２３は、周波数時間デインターリーブ部２２２から送られた信号を受ける。そして、デマッピング部２２３は、ＯＦＤＭ方式で変調されたキャリアの振幅及び位相情報に基づいて、デジタル変調された信号を復号する。デマッピング部２２３により復号された信号は、誤り訂正処理部２２４へ送られる。
【００４６】
上記の誤り訂正処理部２２４は、デマッピング部２２３から送れられた信号を受ける。そして、誤り訂正処理部２２４は、ビタビ復号、リードソロモン復号による誤り訂正を行う。この後、誤り訂正処理部２２４は、誤り訂正の結果を、データパケットＰＫＤとしてソースデコード部１４２へ送る。
【００４７】
次に、上述したソースデコード部１４２の構成について説明する。ソースデコード部１４２は、図６に示されるように、検出部の一部としてのパケット分離部２７１と、Ａ階層処理部２７２と、Ｂ階層処理部２７３と、選択部２７４とを備えている。
【００４８】
上記のパケット分離部２７１は、チャンネルデコード部１４１から送られるデータパケットＰＫＤを受ける。そして、パケット分離部２７１は、データパケットＰＫＤをＡ階層データパケット及びＢ階層データパケットに分離する。こうして分離されたＡ階層データパケット及びＢ階層データパケットは、それぞれ、Ａ階層処理部２７２及びＢ階層処理部２７３へ送られる。
【００４９】
また、パケット分離部２７１は、Ｂ階層データパケットにおけるエラーを検出する。こうして検出されたエラーは、Ｂ階層パケットエラーＢＰＥとして、制御ユニット１９０へ送られる。
【００５０】
上記のＡ階層処理部２７２は、パケット分離部２７１から送られるＡ階層データパケットを受ける。そして、Ａ階層処理部２７２は、制御ユニット１９０による制御のもとで、地上デジタル放送におけるＡ階層放送に採用されているＨ．２６４／ＡＶＣ方式でエンコード化されたＡ階層データパケットのソースデコード処理を行い、Ａ階層放送に対応する音声データ及び映像データであるＡ階層データＡＡＶを生成する。こうして生成されたＡ階層データＡＡＶは、選択部２７４へ送られる。
【００５１】
上記のＢ階層処理部２７３は、パケット分離部２７１から送られるＢ階層データパケットを受ける。そして、Ｂ階層処理部２７３は、制御ユニット１９０による制御のもとで、地上デジタル放送におけるＢ階層放送に採用されているＭＰＥＧ２方式でエンコード化されたＢ階層データパケットのソースデコード処理を行い、Ｂ階層放送に対応する音声データ及び映像データであるＢ階層データＢＡＶを生成する。こうして生成されたＢ階層データＢＡＶは、選択部２７４へ送られる。
【００５２】
上記の選択部２７４は、ソースデコード部１４２から送られたＡ階層データＡＡＶ及びＢ階層データＢＡＶを受ける。そして、選択部２７４は、制御ユニット１９０から送られた選択指令ＳＬＢに従って、Ａ階層データＡＡＶ及びＢ階層データＢＡＶのいずれかを選択する。選択部２７４において選択された階層データにおける音声データが、音声データＡＤＴとして音出力ユニット１６０へ送られる。また、選択部２７４において選択された階層データにおける映像データが、映像データＩＤＴとして表示ユニット１７０へ送られる。
【００５３】
ここで、Ａ階層処理部２７２及びＢ階層処理部２７３は、制御ユニット１９０から送られる選択指令ＳＬＢを受ける。そして、選択指令ＳＬＢの内容がＡ階層データＡＡＶを選択すべき旨である場合には、Ｂ階層処理部２７３は、無動作状態となり、消費電力が実質的に「０」となる。一方、選択指令ＳＬＢの内容がＢ階層データＢＡＶを選択すべき旨である場合には、Ａ階層処理部２７２は、無動作状態となり、消費電力が実質的に「０」となる。
【００５４】
次に、上述した制御ユニット１９０の構成について説明する。制御ユニット１９０は、図７に示されるように、選局制御部１９１と、取得部１９２と、電力供給制御部１９３とを備えている。
【００５５】
上記の選局制御部１９１は、操作入力ユニット１５０から送られた利用者による選局指定を受けると、選局指定により指定された放送事業者の物理チャンネルに対応する信号を抽出するための選局指令ＣＳＬを生成する。そして、選局制御部１９１は、生成された選局指令ＣＳＬを、アンテナ対応処理部１２０j（ｊ＝１〜４）へ送る。
【００５６】
上記の取得部１９２は、蓄電池９００における蓄電量（バッテリ残量）を取得する。取得部１９２による取得結果は、蓄電池９００の残量情報ＢＴＩとして、電力供給制御部１９３へ送られる。
【００５７】
上記の電力供給制御部１９３は、アンテナ対応処理部１２０j（ｊ＝１〜４）のＣＮＲ検出部１２４jから送られた検出値ＣＮＲjを受けるとともに、ソースデコード部１４２のパケット分離部２７１から送られたＢ階層パケットエラーＢＰＥを受ける。そして、電力供給制御部１９３は、検出値ＣＮＲj及びＢ階層パケットエラーＢＰＥを勘案して、放送波の受信品質ＥＳＴを評価する。なお、受信品質ＥＳＴの評価は、原則として、その時点で行っているコンテンツ再生のためのアンテナ選択状態で行われるが、そのアンテナ選択状態で、その時点の放送選択状態を維持できないと判断された場合には、一度、アンテナ対応処理部１２０1，１２０2，１２０3，１２０4の全てへの電力供給を行ったうえで、放送波の受信品質ＥＳＴを評価するようになっている。
【００５８】
また、電力供給制御部１９３は、操作入力ユニット１５０から送られた利用者による「電力供給制御モード」指定を受ける。本実施形態では、「電力供給制御モード」として、『画質重視モード』、『省エネルギモード』、『ワンセグモード』及び『バッテリ残量対応モード』が用意されている。
【００５９】
ここで、『画質重視モード』は、コンテンツ再生品質の重視度である品質重視度を高くしたモードであり、最大で４組のアンテナ対応処理部１２０j（ｊ＝１〜４）を利用しつつ、放送波の受信品質に応じて、Ｂ階層データＢＡＶの生成のために必要な最小限のアンテナ対応処理部１２０jに対して、電力供給を行うモードである。なお、『画質重視モード』では、４組のアンテナ対応処理部１２０jを利用しても、再生出力に耐えられるＢ階層データＢＡＶを生成できない受信品質となった場合には、最大で４組のアンテナ対応処理部１２０jを利用しつつ、放送波の受信品質に応じて、Ａ階層データＡＡＶの生成のために必要な最小限のアンテナ対応処理部１２０jに対して、電力供給を行う。
【００６０】
また、『省エネルギモード』は、電力供給源である蓄電池９００からの電力供給量の抑制の重視度である電力重視度を高くしたモードであり、最大で２組のアンテナ対応処理部１２０jを利用するという制約のもとで、放送波の受信品質に応じて、Ｂ階層データＢＡＶの生成のために必要な最小限のアンテナ対応処理部１２０jに対して、電力供給を行うモードである。なお、『省エネルギモード』では、２組のアンテナ対応処理部１２０jを利用して、再生出力に耐えられるＢ階層データＢＡＶを生成できない受信品質となった場合には、最大で４組のアンテナ対応処理部１２０jを利用しつつ、放送波の受信品質に応じて、Ａ階層データＡＡＶの生成のために必要な最小限のアンテナ対応処理部１２０jに対して、電力供給を行う。
【００６１】
また、『ワンセグモード』は、ワンセグ視聴のみを行うモードであり、最大で４組のアンテナ対応処理部１２０j（ｊ＝１〜４）を利用しつつ、放送波の受信品質に応じて、Ａ階層データＡＡＶの生成のために必要な最小限のアンテナ対応処理部１２０jに対して、電力供給を行うモードである。
【００６２】
また、『バッテリ残量対応モード』は、蓄電池９００の残量情報ＢＴＩに基づいて、取得されたバッテリ残量が多いほど、品質重視度を高くするととともに、電力重視度を低くするモードである。この『バッテリ残量対応モード』では、蓄電池９００の残量情報ＢＴＩに応じて、上述した『画質重視モード』、『省エネルギモード』、『ワンセグモード』のモード切替を自動的に行って、Ｂ階層データＢＡＶ又はＡ階層データＡＡＶの生成のために必要な最小限のアンテナ対応処理部１２０jに対して、電力供給を行う。
【００６３】
そして、電力供給制御部１９３は、放送波の受信品質ＥＳＴ及び指定された「電力供給制御モード」の内容に応じて、ソースデコード部１４２に対してコンテンツ復号信号の選択制御、及び、アンテナ対応処理部１２０jに対して電力供給を行う電力供給制御を行う。
【００６４】
かかる選択制御に際して、電力供給制御部１９３は、選択指令ＳＬＢを生成して、ソースデコード部１４２へ送る。また、電力供給制御部１９３は、電力供給制御に際して、電力供給制御指令ＰＷＣを生成して、アンテナ対応処理部１２０jへ送る。
【００６５】
こうした電力供給制御部１９３による電力供給制御処理、及び、コンテンツ復号信号の種類の選択制御処理については、後述する。
【００６６】
［動作］
以上のようにして構成された放送受信装置５００の動作について、電力供給制御部１９３による電力供給制御処理及び選択制御処理に主に着目して説明する。この電力供給制御処理及び選択制御処理には、車両ＣＲの走行中及び停止中にわたって実行される。
【００６７】
前提として、操作入力ユニット１５０には既に利用者により希望チャンネルの指定入力がなされ、制御ユニット１９０における選局制御部１９１が、希望局に対応する選局指令ＣＳＬを送っているものとする。そして、希望チャンネルの放送波のＣＮＲ値がアンテナ対応処理部１２０j（ｊ＝１〜４）のＣＮＲ検出部１２４jにおいて検出され、検出値ＣＮＲj（ｊ＝１〜４）が、電力供給制御部１９３へ、逐次送られているものとする。また、ソースデコード部１４２のパケット分離部２７１において、Ｂ階層パケットエラーの検出動作が行われており、その検出結果であるＢ階層パケットエラーＢＰＥが、電力供給制御部１９３へ、逐次送られているものとする。さらに、取得部１９２において、蓄電池９００における蓄電量が取得され、残量情報ＢＴＩが電力供給制御部１９３へ送られているものとする。
【００６８】
＜バッテリ残量対応モード指定時の電力供給制御処理及び選択制御処理＞
電力供給制御処理及び選択制御処理について、まず、『バッテリ残量対応モード』における電力供給制御処理及び選択制御処理について説明する。
【００６９】
本実施形態では、『バッテリ残量対応モード』における電力供給制御処理及び選択制御処理は、バッテリ残量ＢＴに応じて、残量が「ＢＴ＜ＢＴ１」のときに『ワンセグモード』を実行し、「ＢＴ１≦ＢＴ＜ＢＴ２」のときに『省エネルギモード』を実行し、「ＢＴ≧ＢＴ２」の範囲で『画質重視モード』を実行する。そして、放送波の受信品質ＥＳＴの値に応じて、図８に示されるテーブルに従った設定が、電力供給制御部１９３により行われる。
【００７０】
例えば、「設定Ａ１」では、電力供給制御部１９３は、アンテナ対応処理部１２０1，１２０2，１２０3，１２０4のうちの１つのアンテナ対応処理部１２０jに対してのみ動作用電力ＡＰＷを供給する電力供給制御指令ＰＷＣを生成して、アンテナ対応処理部１２０1，１２０2，１２０3，１２０4へ送る。そして、電力供給制御部１９３は、Ａ階層データＡＡＶを選択すべき旨を指定した選択指令ＳＬＢを生成して、ソースデコード部１４２へ送る。この場合には、Ｂ階層データＢＡＶを生成するＢ階層処理部２７３は、無動作状態となり、Ｂ階層処理部２７３における消費電力は、実質的に「０」となる。
【００７１】
また、例えば、「設定Ａ３」では、電力供給制御部１９３は、４組のアンテナ対応処理部１２０jに対して動作用電力ＡＰＷを供給する電力供給制御指令ＰＷＣを生成して、アンテナ対応処理部１２０1，１２０2，１２０3，１２０4へ送る。そして、電力供給制御部１９３は、Ａ階層データＡＡＶを選択すべき旨を指定した選択指令ＳＬＢを生成して、ソースデコード部１４２へ送る。この場合にも、Ｂ階層処理部２７３は、無動作状態となり、Ｂ階層処理部２７３における消費電力は、実質的に「０」となる。
【００７２】
また、例えば、「設定Ｂ１」及び「設定Ｃ１」では、電力供給制御部１９３は、アンテナ対応処理部１２０1，１２０2，１２０3，１２０4のうちの１つのアンテナ対応処理部１２０jに対してのみ動作用電力ＡＰＷを供給する電力供給制御指令ＰＷＣを生成して、アンテナ対応処理部１２０1，１２０2，１２０3，１２０4へ送る。そして、電力供給制御部１９３は、Ｂ階層データＢＡＶを選択すべき旨を指定した選択指令ＳＬＢを生成して、ソースデコード部１４２へ送る。この場合には、Ａ階層処理部２７２は、無動作状態となり、Ａ階層処理部２７２における消費電力は、実質的に「０」となる。
【００７３】
さらに、例えば、「設定Ｃ３」では、電力供給制御部１９３は、４組のアンテナ対応処理部１２０jに対して動作用電力ＡＰＷを供給する電力供給制御指令ＰＷＣを生成して、アンテナ対応処理部１２０1，１２０2，１２０3，１２０4へ送る。そして、電力供給制御部１９３は、Ｂ階層データＢＡＶを選択すべき旨を指定した選択指令ＳＬＢを生成して、ソースデコード部１４２へ送る。この場合には、Ａ階層処理部２７２は、無動作状態となり、Ａ階層処理部２７２における消費電力は、実質的に「０」となる。
【００７４】
ここで、図８に示される閾値「ＢＴ１」、「ＢＴ２」は、各モードにおいて地上デジタル放送を視聴する際に、車両ＣＲの動力エネルギ源を確保する観点から、実験、シミュレーション、経験等に基づいて、予め定められる。また、放送波の受信品質ＥＳＴと比較する所定値「Ｅ１」〜「Ｅ５」は、「Ｅ１」、…、「Ｅ５」の順に、受信品質が良好なときの値と対応するようになっている。そして、各所定値は、図８に示される設定で、地上デジタル放送を視聴する観点から、実験、シミュレーション、経験等に基づいて、予め定められるようになっている。
【００７５】
本実施形態の電力供給制御処理及び選択制御処理においては、図９に示されるように、まず、ステップＳ１１において、電力供給制御部１９３が、バッテリ残量ＢＴがＢＴ１より少ないか否かを判定する。この判定の結果が肯定的であった場合（ステップＳ１１：Ｙ）には、処理はステップＳ１２へ進む。このステップＳ１２では、「ワンセグモード」処理が実行される。ステップＳ１２における処理の詳細については、後述する。
【００７６】
一方、ステップＳ１１における判定の結果が否定的であった場合（ステップＳ１１：Ｎ）には、処理はステップＳ１３へ進む。そして、ステップＳ１３では、電力供給制御部１９３が、バッテリ残量ＢＴがＢＴ２より少ないか否かを判定する。この判定の結果が肯定的であった場合（ステップＳ１３：Ｙ）には、処理はステップＳ１４へ進む。このステップＳ１４では、「省エネルギモード」処理が実行される。一方、ステップＳ１３における判定の結果が否定的であった場合（ステップＳ１３：Ｎ）には、処理はステップＳ１５へ進む。このステップＳ１５では、「画質重視モード」処理が実行される。ステップＳ１４，Ｓ１５における処理の詳細については、後述する。
【００７７】
《ワンセグモード処理》
次に、上述したステップＳ１２における「ワンセグモード」処理について説明する。
【００７８】
このワンセグモード処理は、図１０に示されるように、まず、ステップＳ２１において、電力供給制御部１９３が、受信品質ＥＳＴがＥ４以上であるか否かを判定する。この判定の結果が肯定的であった場合（ステップＳ４１：Ｙ）には、処理はステップＳ２２へ進む。このステップＳ２２では、電力供給制御部１９３が、「設定Ａ１」をアンテナ対応処理部１２０j（ｊ＝１〜４）及びソースデコード部１４２に対して設定する。この後、処理は後述するステップＳ２８へ進む。一方、ステップＳ２１における判定の結果が否定的であった場合（ステップＳ２１：Ｎ）には、処理はステップＳ２３へ進む。
【００７９】
ステップＳ２３では、電力供給制御部１９３が、受信品質ＥＳＴがＥ５以上であるか否かを判定する。この判定の結果が肯定的であった場合（ステップＳ２３：Ｙ）には、処理はステップＳ２４へ進む。このステップＳ２４では、電力供給制御部１９３が、「設定Ａ２」をアンテナ対応処理部１２０j（ｊ＝１〜４）及びソースデコード部１４２に対して設定する。この後、処理はステップＳ２８へ進む。一方、ステップＳ２３における判定の結果が否定的であった場合（ステップＳ２３：Ｎ）には、処理はステップＳ２６へ進む。このステップＳ２６では、電力供給制御部１９３が、「設定Ａ３」をアンテナ対応処理部１２０j（ｊ＝１〜４）及びソースデコード部１４２に対して設定する。この後、処理はステップＳ２８へ進む。
【００８０】
次いで、ステップＳ２８において、電力供給制御部１９３が、バッテリ残量ＢＴがＢＴ１未満であるか否かを判定する。この判定の結果が肯定的であった場合（ステップＳ２８：Ｙ）には、処理はステップＳ２１へ戻る。一方、ステップＳ２８における判定の結果が否定的であった場合（ステップＳ２８：Ｎ）には、ステップＳ１２の処理が終了する。そして、処理は、上述した図９におけるステップＳ１１へ戻る。
【００８１】
《省エネルギモード処理》
次に、上述したステップＳ１４における「省エネルギモード」処理について説明する。
【００８２】
この省エネルギモード処理は、図１１に示されるように、まず、ステップＳ３１において、電力供給制御部１９３が、受信品質ＥＳＴがＥ１以上であるか否かを判定する。この判定の結果が肯定的であった場合（ステップＳ３１：Ｙ）には、処理はステップＳ３２へ進む。このステップＳ３２では、電力供給制御部１９３が、「設定Ｂ１」をアンテナ対応処理部１２０j（ｊ＝１〜４）及びソースデコード部１４２に対して設定する。この後、処理は後述するステップＳ３８へ進む。一方、ステップＳ３１における判定の結果が否定的であった場合（ステップＳ３１：Ｎ）には、処理はステップＳ３３へ進む。
【００８３】
ステップＳ３３では、電力供給制御部１９３が、受信品質ＥＳＴがＥ２以上であるか否かを判定する。この判定の結果が肯定的であった場合（ステップＳ３３：Ｙ）には、処理はステップＳ３４へ進む。このステップＳ３４では、電力供給制御部１９３が、「設定Ｂ２」をアンテナ対応処理部１２０j（ｊ＝１〜４）及びソースデコード部１４２に対して設定する。この後、処理はステップＳ３８へ進む。一方、ステップＳ３３における判定の結果が否定的であった場合（ステップＳ３３：Ｎ）には、処理はステップＳ３６へ進む。
【００８４】
ステップＳ３６では、電力供給制御部１９３が、上述した「ワンセグモード」に準拠した設定を、アンテナ対応処理部１２０j（ｊ＝１〜４）及びソースデコード部１４２に対して行う。この後、処理はステップＳ３８へ進む。
【００８５】
次いで、ステップＳ３８において、電力供給制御部１９３が、バッテリ残量ＢＴがＢＴ１以上、かつ、ＢＴ２より少ないか否かを判定する。この判定の結果が肯定的であった場合（ステップＳ３８：Ｙ）には、処理はステップＳ３１へ戻る。一方、ステップＳ３８における判定の結果が否定的であった場合（ステップＳ３８：Ｎ）には、ステップＳ１４の処理が終了する。そして、処理は、上述した図９におけるステップＳ１１へ戻る。
【００８６】
《画質重視モード処理》
次に、上述したステップＳ１５における「画質重視モード」処理について説明する。
【００８７】
この画質重視モード処理は、図１２に示されるように、まず、ステップＳ４１において、電力供給制御部１９３が、受信品質ＥＳＴがＥ１以上であるか否かを判定する。この判定の結果が肯定的であった場合（ステップＳ４１：Ｙ）には、処理はステップＳ４２へ進む。このステップＳ４２では、電力供給制御部１９３が、「設定Ｃ１」をアンテナ対応処理部１２０j（ｊ＝１〜４）及びソースデコード部１４２に対して設定する。この後、処理は後述するステップＳ４８へ進む。一方、ステップＳ４１における判定の結果が否定的であった場合（ステップＳ４１：Ｎ）には、処理はステップＳ４３へ進む。
【００８８】
ステップＳ４３では、電力供給制御部１９３が、受信品質ＥＳＴがＥ２以上であるか否かを判定する。この判定の結果が肯定的であった場合（ステップＳ４３：Ｙ）には、処理はステップＳ４４へ進む。このステップＳ４４では、電力供給制御部１９３が、「設定Ｃ２」をアンテナ対応処理部１２０j（ｊ＝１〜４）及びソースデコード部１４２に対して設定する。この後、処理はステップＳ４８へ進む。一方、ステップＳ４３における判定の結果が否定的であった場合（ステップＳ４３：Ｎ）には、処理はステップＳ４５へ進む。
【００８９】
ステップＳ４５では、電力供給制御部１９３が、受信品質ＥＳＴがＥ３以上であるか否かを判定する。この判定の結果が肯定的であった場合（ステップＳ４５：Ｙ）には、処理はステップＳ４６へ進む。このステップＳ４６では、電力供給制御部１９３が、「設定Ｃ３」をアンテナ対応処理部１２０j（ｊ＝１〜４）及びソースデコード部１４２に対して設定する。この後、処理はステップＳ４８へ進む。一方、ステップＳ４５における判定の結果が否定的であった場合（ステップＳ４５：Ｎ）には、処理はステップＳ４７へ進む。このステップＳ４７では、電力供給制御部１９３が、上述した「ワンセグモード」に準拠した設定を、アンテナ対応処理部１２０j（ｊ＝１〜４）及びソースデコード部１４２に対して行う。この後、処理はステップＳ４８へ進む。
【００９０】
次いで、ステップＳ４８において、電力供給制御部１９３が、バッテリ残量ＢＴがＢＴ２以上か否かを判定する。この判定の結果が肯定的であった場合（ステップＳ４８；Ｙ）には、処理はステップＳ４１へ戻る。一方、ステップＳ４８における判定の結果が否定的であった場合（ステップＳ４８：Ｎ）には、ステップＳ１５の処理が終了する。そして、処理は、上述した図９におけるステップＳ１１へ戻る。
【００９１】
＜画質重視モード指定時の電力供給制御処理及び選択制御処理＞
電力供給制御部１９３は、バッテリ残量ＢＴに関わらず、上述した画像重視モード処理と同様の処理を実行する。
【００９２】
＜省エネルギモード指定時の電力供給制御処理及び選択制御処理＞
電力供給制御部１９３は、バッテリ残量ＢＴに関わらず、上述した省エネルギモード処理と同様の処理を実行する。
【００９３】
＜ワンセグモード指定時の電力供給制御処理及び選択制御処理＞
電力供給制御部１９３は、バッテリ残量ＢＴに関わらず、上述したワンセグモード処理と同様の処理を実行する。
【００９４】
上述した電力供給制御部１９３による電力供給制御のもとで、アンテナ対応処理部で生成された信号ＦＦＤjが、チャンネルデコード部１４１へ送られる。そして、チャンネルデコード部１４２において、信号ＦＦＤjに基づいてデータパケットＰＫＤが生成され、当該データパケットＰＫＤはパケット分離部２７１において、Ａ階層データパケット及びＢ階層データパケットに分離される。引き続き、上述した電力供給制御部１９３による選択制御のもとで、選択部２７４により選択された階層放送の音声及び画像が、音出力ユニット１６０及び表示ユニット１７０により再生される。
【００９５】
以上説明したように、本実施形態では、地上デジタル放送を受信するに際して、希望チャンネルの放送波のＣＮＲ値がアンテナ対応処理部１２０j（ｊ＝１〜４）のＣＮＲ検出部１２４jにおいて検出され、Ｂ階層パケットエラーＢＰＥがソースデコード部１４２のパケット分離部２７１において検出される。これらの検出結果に基づく放送波の受信品質ＥＳＴと、蓄電池９００におけるバッテリ残量ＢＴに基づいて、電力供給制御部１９３が、バッテリ残量が多いほど、コンテンツ再生品質の重視度である品質重視度を高くするとともに、電力供給源である蓄電池９００からの電力供給量の抑制の重視度である電力重視度を低くした電力供給制御を、アンテナ対応処理部１２０j（ｊ＝１〜４）及びソースデコード部１４２に対して行う。
【００９６】
したがって、本実施形態によれば、コンテンツ再生品質や電力供給源からの電力供給量の抑制を適切に考慮したコンテンツ再生を実現することができる。
【００９７】
［実施形態の変形］
本発明は、上記の実施形態に限定されるものではなく、様々な変形が可能である。
【００９８】
例えば、上記の実施形態の放送受信装置は、アンテナ対応処理部を４組備えることとしたが、アンテナ対応処理部の組は、２又は３組であってもよいし、５組以上であってもよい。
【００９９】
また、上記の実施形態では、『バッテリ残量対応モード』を実行するために、蓄電池における蓄電量を取得する取得部を備えるようにしたが、電力供給制御部が行う「電力供給制御モード」として、『バッテリ残量対応モード』を実行せず、『画質重視モード』、『省エネルギモード』及び『ワンセグモード』のいずれか１つに対応する電力供給制御処理及び選択制御処理を実行するようにする場合には、取得部を省略することができる。
【０１００】
また、上記の実施形態では、放送受信装置は、電気自動車に搭載されることとしたが、ハイブリッド車に搭載されるものであってもよい。
【０１０１】
また、本発明の放送受信装置を、当該装置の電力供給源であるバッテリ以外（例えば、ガソリンエンジン）を駆動エネルギ源とする走行駆動機構を有し、走行駆動機構の動作によりバッテリへの充電が行われる車両に搭載するようにしてもよい。この場合には、走行駆動機構が動作していない場合に、電力供給制御部が、各部の電力供給制御及び選択制御を実行するようにすればよい。
【０１０２】
また、上記の実施形態では、希望チャンネルの放送波の受信状態として、ＣＮＲを検出するようにしたが、電界強度を検出するようにしてもよい。
【０１０３】
また、上記の実施形態では、Ｂ階層放送の受信品質として、Ｂ階層パケットエラーを検出して考慮するようにしたが、Ｂ階層データにおけるビットエラー率を検出して考慮するようにしてもよい。
【０１０４】
また、上記の実施形態では、車両に搭載される放送受信装置に本発明を適用したが、車両以外に搭載される放送受信装置にも本発明を適用してもよい。また、利用者が携帯する携帯型の放送受信装置に本発明を適用してもよい。
【０１０５】
また、上記の実施形態では、日本国で現在採用されている地上デジタルテレビジョン放送の規格に適合する放送受信装置に本発明を適用したが、他の規格に適合する放送受信装置に本発明を適用してもよい。
【０１０６】
なお、上記の制御ユニットの一部又は全部を中央処理装置（ＣＰＵ：Central Processing Unit）等を備えた演算手段としてのコンピュータとして構成し、予め用意されたプログラムを当該コンピュータで実行することにより、上記の実施形態における制御ユニットの機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【図１】
2012131938.tif 000003
【図２】
2012131938.tif 000004
【図３】
2012131938.tif 000005
【図４】
2012131938.tif 000006
【図５】
2012131938.tif 000007
【図６】
2012131938.tif 000008
【図７】
2012131938.tif 000009
【図８】
2012131938.tif 000010
【図９】
2012131938.tif 000011
【図１０】
2012131938.tif 000012
【図１１】
2012131938.tif 000013
【図１２】
2012131938.tif 000014
【手続補正書】
【提出日】平成25年9月5日(2013.9.5)
【手続補正１】
【補正対象書類名】特許請求の範囲
【補正対象項目名】全文
【補正方法】変更
【補正の内容】
【特許請求の範囲】
【請求項１】
電力供給源からの電力供給を受けて動作するとともに、放送波を、複数である第１所定数のアンテナで受信してコンテンツ再生を行う放送受信装置であって、
前記第１所定数のアンテナごとに配置され、前記第１所定数の対応する前記アンテナからの信号を受ける前記第１所定数のアンテナ対応処理部と；
前記第１所定数のアンテナ対応処理部の少なくとも１つから出力された信号に基づいて、チャンネルデコード信号を生成するチャンネルデコード部と；
前記チャンネルデコード信号に基づいて、第１復号信号、及び、コンテンツ再生品質が前記第１復号信号よりも低く、かつ、生成のための消費電力が前記第１復号信号よりも低い第２復号信号のいずれかを生成するソースデコード部と；
前記放送波の受信品質を検出する検出部と；
前記検出部により検出された受信品質に基づいて、前記アンテナ対応処理部への電源供給、及び、前記ソースデコード部が生成する復号信号の選択を制御する制御部と；
コンテンツ再生品質を重視した第１動作モード、及び、前記電力供給源からの電力供給量の抑制を重視した第２動作モードを含む複数の動作モードの内のいずれか指定する指定部と；を備え、
前記制御部は、
前記第１動作モードが指定された場合には、前記第１所定数のアンテナ対応処理部の全てに電源を供給すれば前記ソースデコード部が再生出力に耐え得る品質の前記第１復号信号を生成することができるときは、前記ソースデコード部に前記第１復号信号を生成させ、
前記第２動作モードが指定された場合には、前記第１所定数のアンテナ対応処理部の全てに電源を供給すれば前記ソースデコード部が再生出力に耐え得る品質の前記第１復号信号を生成できるが、前記第１所定数よりも少ない第２所定数の前記アンテナ対応処理部に電源を供給したとしても、前記ソースデコード部が再生出力に耐え得る品質の前記第１復号信号を生成することができないときは、前記ソースデコード部に前記第２復号信号を生成させるように制御する、
ことを特徴とする放送受信装置。
【請求項２】
前記電力供給源はバッテリであり、
前記バッテリのバッテリ残量を取得する取得部を更に備え、
前記指定部は、
前記取得されたバッテリ残量が第１閾値以上の場合は前記第１動作モードを指定し、
前記取得されたバッテリ残量が前記第１閾値未満かつ第２閾値以上の場合は前記第２動作モードを指定する、
ことを特徴とする請求項１に記載の放送受信装置。
【請求項３】
前記バッテリを駆動エネルギ源とする走行駆動機構を少なくとも有する車両に搭載され、
前記走行駆動機構の動作により走行及び停止が行われる場合には、前記制御部は、前記車両の走行中及び停止中にわたって、前記アンテナ対応処理部への電源供給の制御、及び、前記ソースデコード部が生成する復号信号の選択の制御を実行する、
ことを特徴とする請求項２に記載の放送受信装置。
【請求項４】
前記バッテリ以外のエネルギ源を駆動エネルギ源とする走行駆動機構を有し、前記走行駆動機構の動作により前記バッテリへの充電が行われる車両に搭載され、
前記走行駆動機構が動作していない場合に、前記制御部は、前記アンテナ対応処理部への電源供給の制御、及び、前記ソースデコード部が生成する復号信号の選択の制御を実行する、
ことを特徴とする請求項２に記載の放送受信装置。
【請求項５】
複数である第１所定数のアンテナごとに配置され、前記第１所定数の対応する前記アンテナからの信号を受ける前記第１所定数のアンテナ対応処理部と；前記第１所定数のアンテナ対応処理部の少なくとも１つから出力された信号に基づいて、チャンネルデコード信号を生成するチャンネルデコード部と；前記チャンネルデコード信号に基づいて、第１復号信号、及び、コンテンツ再生品質が前記第１復号信号よりも低く、かつ、生成のための消費電力が前記第１復号信号よりも低い第２復号信号のいずれかを生成するソースデコード部と；放送波の受信品質を検出する検出部と；コンテンツ再生品質を重視した第１動作モード、及び、電力供給源からの電力供給量の抑制を重視した第２動作モードを含む複数の動作モードの内のいずれか指定する指定部と；を備え、前記電力供給源からの電力供給を受けて動作するとともに、前記放送波を、前記第１所定数のアンテナで受信してコンテンツ再生を行う放送受信装置において使用される電力供給制御方法であって、
前記第１動作モードが指定された場合には、前記第１所定数のアンテナ対応処理部の全てに電源を供給すれば前記ソースデコード部が再生出力に耐え得る品質の前記第１復号信号を生成することができるときに、前記ソースデコード部に前記第１復号信号を生成させる第１再生工程と；
前記第２動作モードが指定された場合には、前記第１所定数のアンテナ対応処理部の全てに電源を供給すれば前記ソースデコード部が再生出力に耐え得る品質の前記第１復号信号を生成できるが、前記第１所定数よりも少ない第２所定数の前記アンテナ対応処理部に電源を供給したとしても、前記ソースデコード部が再生出力に耐え得る品質の前記第１復号信号を生成することができないときに、前記ソースデコード部に前記第２復号信号を生成させる第２再生工程と；
を備えることを特徴とする電力供給制御方法。
【請求項６】
請求項５に記載の電力供給制御方法を演算部に実行させる、ことを特徴とする電力供給制御プログラム。
【請求項７】
請求項６に記載の電力供給制御プログラムが、演算部により読み取り可能に記録されている、ことを特徴とする記録媒体。
【手続補正２】
【補正対象書類名】明細書
【補正対象項目名】００１１
【補正方法】変更
【補正の内容】
【００１１】
本発明は、第１の観点からすると、電力供給源からの電力供給を受けて動作するとともに、放送波を、複数である第１所定数のアンテナで受信してコンテンツ再生を行う放送受信装置であって、前記第１所定数のアンテナごとに配置され、前記第１所定数の対応する前記アンテナからの信号を受ける前記第１所定数のアンテナ対応処理部と；前記第１所定数のアンテナ対応処理部の少なくとも１つから出力された信号に基づいて、チャンネルデコード信号を生成するチャンネルデコード部と；前記チャンネルデコード信号に基づいて、第１復号信号、及び、コンテンツ再生品質が前記第１復号信号よりも低く、かつ、生成のための消費電力が前記第１復号信号よりも低い第２復号信号のいずれかを生成するソースデコード部と；前記放送波の受信品質を検出する検出部と；前記検出部により検出された受信品質に基づいて、前記アンテナ対応処理部への電源供給、及び、前記ソースデコード部が生成する復号信号の選択を制御する制御部と；コンテンツ再生品質を重視した第１動作モード、及び、前記電力供給源からの電力供給量の抑制を重視した第２動作モードを含む複数の動作モードの内のいずれか指定する指定部と；を備え、前記制御部は、前記第１動作モードが指定された場合には、前記第１所定数のアンテナ対応処理部の全てに電源を供給すれば前記ソースデコード部が再生出力に耐え得る品質の前記第１復号信号を生成することができるときは、前記ソースデコード部に前記第１復号信号を生成させ、前記第２動作モードが指定された場合には、前記第１所定数のアンテナ対応処理部の全てに電源を供給すれば前記ソースデコード部が再生出力に耐え得る品質の前記第１復号信号を生成できるが、前記第１所定数よりも少ない第２所定数の前記アンテナ対応処理部に電源を供給したとしても、前記ソースデコード部が再生出力に耐え得る品質の前記第１復号信号を生成することができないときは、前記ソースデコード部に前記第２復号信号を生成させるように制御する、ことを特徴とする放送受信装置である。
【手続補正３】
【補正対象書類名】明細書
【補正対象項目名】００１２
【補正方法】変更
【補正の内容】
【００１２】
本発明は、第２の観点からすると、複数である第１所定数のアンテナごとに配置され、前記第１所定数の対応する前記アンテナからの信号を受ける前記第１所定数のアンテナ対応処理部と；前記第１所定数のアンテナ対応処理部の少なくとも１つから出力された信号に基づいて、チャンネルデコード信号を生成するチャンネルデコード部と；前記チャンネルデコード信号に基づいて、第１復号信号、及び、コンテンツ再生品質が前記第１復号信号よりも低く、かつ、生成のための消費電力が前記第１復号信号よりも低い第２復号信号のいずれかを生成するソースデコード部と；放送波の受信品質を検出する検出部と；コンテンツ再生品質を重視した第１動作モード、及び、電力供給源からの電力供給量の抑制を重視した第２動作モードを含む複数の動作モードの内のいずれか指定する指定部と；を備え、前記電力供給源からの電力供給を受けて動作するとともに、前記放送波を、前記第１所定数のアンテナで受信してコンテンツ再生を行う放送受信装置において使用される電力供給制御方法であって、前記第１動作モードが指定された場合には、前記第１所定数のアンテナ対応処理部の全てに電源を供給すれば前記ソースデコード部が再生出力に耐え得る品質の前記第１復号信号を生成することができるときに、前記ソースデコード部に前記第１復号信号を生成させる第１再生工程と；前記第２動作モードが指定された場合には、前記第１所定数のアンテナ対応処理部の全てに電源を供給すれば前記ソースデコード部が再生出力に耐え得る品質の前記第１復号信号を生成できるが、前記第１所定数よりも少ない第２所定数の前記アンテナ対応処理部に電源を供給したとしても、前記ソースデコード部が再生出力に耐え得る品質の前記第１復号信号を生成することができないときに、前記ソースデコード部に前記第２復号信号を生成させる第２再生工程と；を備えることを特徴とする電力供給制御方法である。
【国際調査報告】
2012131938.tif 000015
2012131938.tif 000016
2012131938.tif 000017